(57)【要約】【課題】より簡易に演奏することの可能な打楽器を提供する。【解決手段】打楽器１００は、棒状の把持部１１０と、把持部１１０の軸方向から放射状に設けられる４枚の打面部１２０と、２枚の打面部１２０の間の音響空間ＡＳの少なくとも１か所以上に設けられ、３６０度方向に揺動可能に支持され、打面部１２０に当たって音を発するためのバチ部１３０と、打面部１２０を支持する第１支持部１４０及び第２支持部１５０とを備える。バチ部１３０が３６０度方向に揺動することで、振るだけで簡単に演奏ができる。また、２枚の打面部１２０の間に音響空間ＡＳができることから、手や体にぶつけるように操作しても演奏できる。また、各バチ部が２枚の打面部に当たることで、独特の音が発せされる。さらに、把持部１１０以外を持ち操作しても演奏できる。このようにして、より簡易に演奏することが可能である。【選択図】図１
2018205510.tif 000002
【特許請求の範囲】
【請求項１】
棒状の把持部と、
前記把持部に支持され、前記把持部の軸方向から放射状に設けられる３枚以上の打面部と、
２枚の前記打面部の間の空間の少なくとも１か所以上に設けられ、前記２枚の打面部にそれぞれ当たって音を発するためのバチ部と、
を備えたことを特徴とする、打楽器。
【請求項２】
前記把持部は、前記打面部及び前記バチ部の下方に設けられ、
前記把持部の上端に、前記打面部及び前記バチ部を下方から支持する第１支持部をさらに備え、
前記打面部及び前記バチ部は、前記第１支持部を介して前記把持部に支持されることを特徴とする、請求項１に記載の打楽器。
【請求項３】
前記バチ部は、３６０度方向に揺動可能に前記第１支持部に支持されることを特徴とする、請求項２に記載の打楽器。
【請求項４】
前記打面部を上方から支持する第２支持部をさらに備えたことを特徴とする、請求項２に記載の打楽器。
【請求項５】
前記バチ部は、３６０度方向に揺動可能に前記第２支持部に支持されることを特徴とする、請求項４に記載の打楽器。
【請求項６】
前記バチ部は、前記第１支持部及び前記第２支持部に支持されることを特徴とする、請求項４に記載の打楽器。
【請求項７】
前記打面部と、前記第１支持部又は前記第２支持部の少なくとも一方との間に、衝撃吸収材を介在させたことを特徴とする、請求項４〜６のいずれかに記載の打楽器。
【請求項８】
前記把持部は、回転対称形であることを特徴とする、請求項１〜７のいずれかに記載の打楽器。
【発明の詳細な説明】
【技術分野】
【０００１】
本発明は、鳴子型の打楽器に関する。
【背景技術】
【０００２】
鳴子は、穀物を野鳥の食害から守るため、鳥を追い払う目的で使われてきた道具である。木の板に数本の竹筒や木片を糸で吊るしたものが、田畑の中に設置される。このような鳴子は、楽器としても用いられる。例えば、よさこい鳴子踊りで用いられる「よさこい鳴子」を踊りに取り入れた高知県高知市のよさこい祭りが知られている。また、よさこい祭りと関連して、ソーラン節を踊るときにも使われることがある。
【０００３】
図１１は、楽器として用いられる鳴子２００を示す図であり、図１１（ａ）は構成を示す正面図であり、図１１（ｂ）は使用時の状態を示す図である。従来の鳴子２００は、図１１に示したように、１枚板の打面部に、１枚又は２枚以上のバチ（拍子木）が一方向に揺動して音を発するものであった（例えば、特許文献１参照）。また近年では、高齢者介護施設等で音楽療法士による「音楽療法」を行う際に、このような鳴子型打楽器が使用されている。
【先行技術文献】
【特許文献】
【０００４】
【特許文献１】特開２００５−３３８６１７号公報
【発明の概要】
【発明が解決しようとする課題】
【０００５】
しかしながら、特許文献１に開示されるような従来の鳴子型打楽器は、デメリットとして、一定の方向に振らないと鳴らない、持ち手より上部をつかむと演奏できない、持ちにくいなどがあり、高齢による筋力の低下や各関節の可動範囲の縮小、または認知症のある方々にとっては使用しにくいという問題があった。楽器の演奏を通じて音楽を楽しんで頂き、日々の楽しみを感じて欲しいという要望には沿えなかった。
【０００６】
そこで本発明は、このような問題に鑑みてなされたもので、その目的とするところは、より簡易に演奏することの可能な、新規かつ改良された打楽器を提供することにある。
【課題を解決するための手段】
【０００７】
上記課題を解決するために、本発明によれば、棒状の把持部と、前記把持部に支持され、前記把持部の軸方向から放射状に設けられる３枚以上の打面部と、２枚の前記打面部の間の空間の少なくとも１か所以上に設けられ、前記２枚の打面部にそれぞれ当たって音を発するためのバチ部と、を備えたことを特徴とする、打楽器が提供される。
【０００８】
かかる構成によれば、３枚以上の打面部が把持部の軸方向から先端に向かって広がる方向に配置されたことで、２枚の打面部の間に空間ができることから、手や体にぶつけるように操作しても演奏できる。また、各バチ部が２枚の打面部に当たることで、独特の音が発せされる。さらに、把持部以外を持ち操作しても演奏できる。このようにして、より簡易に演奏することの可能な打楽器が提供される。
【０００９】
本発明は様々な応用が可能である。以下の応用例は適宜組み合わせることができる。
【００１０】
例えば、前記把持部は、前記打面部及び前記バチ部の下方に設けられ、前記把持部の上端に、前記打面部及び前記バチ部を下方から支持する第１支持部をさらに備え、前記打面部及び前記バチ部は、前記第１支持部を介して前記把持部に支持されるようにしてもよい。かかる構成によれば、打面部及びバチ部を下方から支持する第１支持部を備えたことで、把持部が上下全体にあり打面部が把持部に直接結合されている形態と比べて、軽量にすることができる。
【００１１】
また、前記バチ部は、３６０度方向に揺動可能に前記第１支持部に支持されるようにしてもよい。かかる構成によれば、バチ部が３６０度方向に揺動することで、振るだけで簡単に演奏ができる。
【００１２】
さらに、前記打面部を上方から支持する第２支持部をさらに備えるようにしてもよい。かかる構成によれば、打面部を第１支持部と第２支持部で上下方向から支持することで、丈夫な構成とすることができる。
【００１３】
また、前記バチ部は、３６０度方向に揺動可能に前記第２支持部に支持されるようにしてもよい。かかる構成によれば、バチ部が３６０度方向に揺動することで、振るだけで簡単に演奏ができる。
【００１４】
また、前記バチ部は、前記第１支持部及び前記第２支持部に支持されるようにしてもよい。
【００１５】
さらにまた、前記打面部と、前記第１支持部又は前記第２支持部の少なくとも一方との間に、衝撃吸収材（例えば、ゴムシートやウレタンなど）を介在させるようにしてもよい。かかる構成によれば、打面部を第１支持部及び第２支持部によって上下から挟み込んで固定する際、衝撃吸収材で打面部と支持部との接触を防ぐことで、打面部の振動を妨げないようにしたため、音質が向上する。
【００１６】
また、前記把持部は、回転対称形（円筒状、円錐台状、円錐状、多角形柱状など）であってもよい。把持部を回転対称形とすることにより、持ち手の方向を意識することなく持つことができる。また特に、円錐台状又は円錐状のように、把持部の先端を細い形状にすることで、手が十分に開けないような場合でも、手に差し込むようにして使用することができる。
【発明の効果】
【００１７】
本発明によれば、より簡易に演奏することの可能な打楽器が提供される。本発明のその他の効果については、後述する発明を実施するための形態においても説明する。
【図面の簡単な説明】
【００１８】
【図１】第１の実施形態の打楽器１００の全体構成を示す斜視図である。
【図２】打面部１２０とバチ部１３０の部分を示す図である。
【図３】バチ部１３０と第１支持部１４０の部分を示す図であり、（ａ）は斜視図であり、（ｂ）は（ａ）の一部の断面図である。
【図４】第１支持部１４０と打面部１２０との連結を示す図である。
【図５】第２支持部１５０と打面部１２０との連結を示す図である。
【図６】打楽器１００の使用方法（動かし方）を示す図であり、（ａ）は第１の実施形態の打楽器１００であり、（ｂ）は従来の打楽器２００である。
【図７】打楽器１００の使用方法（持ち方）を示す図であり、（ａ）は第１の実施形態の打楽器１００であり、（ｂ）は従来の打楽器２００である。
【図８】打楽器１００の使用方法（握り方）を示す図であり、（ａ）は第１の実施形態の打楽器１００であり、（ｂ）は従来の打楽器２００である。
【図９】第２の実施形態の打楽器３００を示す図である。
【図１０】第３の実施形態の打楽器４００を示す図である。
【図１１】従来の打楽器２００を示す図であり、（ａ）は構成を示す斜視図であり、（ｂ）は使用時の状態を示す図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
本発明の第１の実施形態について説明する。図１は、本実施形態にかかる打楽器１００の全体構成を示す斜視図である。打楽器１００は、図１に示したように、棒状の把持部１１０と、４枚の打面部１２０（１２０−１〜１２０−４）と、打面部１２０に当たって音を発するためのバチ部１３０（１３０−１〜１３０−４）と、第１支持部１４０と、第２支持部１５０と、を備えたことを特徴とする。以下、打楽器１００の各構成要素について詳細に説明する。
【００２１】
（把持部１１０）
把持部１１０は、棒状の部材であり、打楽器１００を演奏するときに使用者が握る部分である。本実施形態の把持部１１０は、打楽器１００の上下方向の全体に設けられるものではなく、図１に示したように、後述する第１支持部１４０の下方にのみ設けられていることを特徴とする。
【００２２】
把持部１１０は、図１に示したように、回転対称形である円筒状で先端が細い形状となっている。把持部１１０を回転対称形とすることにより、持ち手の方向を意識することなく持つことができる。また、把持部１１０の先端を細い形状にすることで、手が十分に開けないような場合でも、手に差し込むようにして使用することができる。
【００２３】
把持部１１０の材質は、任意の材質を採用することができるが、軽くて丈夫な材質としては、例えば、プラスチックや木で構成することができる。把持部１１０のサイズは、太さが８ｍｍ〜１５ｍｍ程度、長さが１０ｃｍ程度である。
【００２４】
（打面部１２０）
打面部１２０（１２０−１〜１２０−４）は、図１に示したように、後述する第１支持部１４０を介して把持部１１０に支持されており、把持部１１０の軸方向から放射状に４枚設けられている板状の部材である。なお、打面部１２０−１〜１２０−４を総称するときは、単に打面部１２０という。打面部１２０は、後述するバチ部１３０に打たれることで音を発する。このことから、打面部１２０は鳴り板と称してもよい。
【００２５】
打面部１２０は、第１支持部１４０に固定的に支持されている。例えば、打面部１２０は、第１支持部１４０にねじ又はくぎ等で固定されている。この点は、後述するバチ部１３０と異なるが、この点についてはさらに後述する。
【００２６】
打面部１２０の材質は、任意の材質を採用することができるが、軽くて丈夫な材質としては、例えば、プラスチックや木で構成することができる。打面部１２０の材質は、把持部１１０の材質と同じであってもよく、異なっていてもよい。各打面部１２０のサイズは、横（幅）が３ｃｍ程度、縦（高さ）が７ｃｍ程度、厚みが１ｃｍ程度である。各打面部１２０のサイズは、必ずしも同じでなくてもよい。打面部１２０の角は、安全性を高めるために角を落としてもよい。
【００２７】
図２は、打面部１２０及び後述するバチ部１３０の詳細を示す図である。本実施形態では、打面部１２０−１〜１２０−４は、図１及び図２に示したように、９０度間隔に４枚設けられている。２枚の打面部１２０の間に形成される空間が、打面部１２０とバチ部１３０との間の音響空間ＡＳとして機能する。
【００２８】
（バチ部１３０）
バチ部１３０（１３０−１〜１３０−４）は、図１及び図２に示したように、２枚の打面部１２０の間の音響空間ＡＳのそれぞれに設けられている円柱状の部材である。バチ部１３０の材質は、任意の材質を採用することができるが、軽くて丈夫な材質としては、例えば、プラスチックや木で構成することができる。バチ部１３０の材質は、把持部１１０や打面部１２０の材質と同じであってもよく、異なっていてもよい。各バチ部１３０の大きさは、太さが１ｃｍ程度、長さが６ｃｍ程度である。ただし、各バチ部１３０のサイズは、必ずしも同じでなくてもよい。
【００２９】
バチ部１３０は、３６０度方向に揺動可能（傾倒可能）に、後述する第１支持部１４０に支持されている。バチ部１３０が３６０度方向に揺動可能に支持される機構について、図３を参照しながら説明する。図３は、バチ部１３０と第１支持部１４０との連結機構を示す図であり、図３（ａ）は斜視図であり、図３（ｂ）は図３（ａ）の孔１４０ａの部分の断面図である。
【００３０】
バチ部１３０の下方には、図３（ａ）、（ｂ）に示したように、ねじ１３２が設けられている。ねじ１３２は、図３（ｂ）に示したように、第１支持部１４０に設けられた孔１４０ａよりも細くて長く、孔１４０ａに遊嵌されている。ねじ１３２の頭部は第１支持部１４０の底面に設けられた凹部１４０ｂに配置されている。凹部１４０ｂは、ねじ１３２の頭部が自在に搖動できる広さであり、また、ねじ１３２の頭部が第１支持部１４０の底面から突出しない深さである。
【００３１】
このような構成により、ねじ１３２は、ねじ１３２の頭部によって孔１４０ａから離脱することはなく、上下方向に移動できるとともに、３６０度方向に揺動（傾倒）することができる。バチ部１３０は、このような機構によって、３６０度方向に揺動可能に第１支持部１４０に支持されている。なお、凹部１４０ｂの構成は、バチ部１３０が３６０度方向に揺動可能に第１支持部１４０に支持されていれば、任意の構成でよい。例えば、凹部１４０ｂの深さは任意の深さでよいが、ねじ１３２の頭部が第１支持部１４０の底面から突出しない深さにすると安全性が高い。
【００３２】
なお、図１及び図２に示した状態で、バチ部１３０が打面部１２０に接していると、バチ部１３０は、打面部１２０から離れる方向には傾倒できるが、打面部１２０の側には傾倒できない。このような状態も、バチ部１３０が３６０度方向に揺動可能と言えることは言うまでもない。すなわち、バチ部１３０がいったん打面部１２０から離れる方向に傾倒すれば、打面部１２０に近づく方向に揺動できるからである。
【００３３】
各バチ部１３０はこのような構成によって、隣接する２枚の打面部１２０に当たることができる。すなわち、図２に示したように、バチ部１３０−１は打面部１２０−１と１２０−２に当たることができる。他のバチ部１３０−２〜１３０−４と、他の打面部１２０との関係についても同様である。
【００３４】
（第１支持部１４０）
第１支持部１４０は、把持部１１０の上端に設けられ、打面部１２０とバチ部１３０を下方から支持する部材である。第１支持部１４０は、厚みが５ｍｍ程度の板状の部材である。第１支持部１４０は、安全性を高めるために角を落としてあり、図１に示した一例では八角形状をしている。
【００３５】
第１支持部１４０には、上述した孔１４０ａが設けられている。第１支持部１４０の孔１４０ａの底部には、ねじ１３２の頭に相当する高さ以上の凹部１４０ｂが設けられている。ねじ１３２の頭が凹部１４０ｂに収容されることにより、ねじ１３２の頭が第１支持部１４０の底面から突出しないようになっている。第１支持部１４０とバチ部１３０との連結については、上述したとおりである。
【００３６】
次に、第１支持部１４０と打面部１２０との連結について、図４を参照しながら説明する。図４は、第１支持部１４０と打面部１２０との間の連結を示す図である。第１支持部１４０の上部にはゴムシートＧが設けられている。すなわち、第１支持部１４０と打面部１２０−１〜１２０−４との間にゴムシートＧが介在する。打面部１２０−１〜１２０−４の底面は、このゴムシートＧを介して第１支持部１４０に連結される。かかる構成によれば、打面部１２０を第１支持部１４０によって固定する際、ゴムシートＧで打面部１２０と第１支持部１４０との接触を防ぐことで、打面部１２０の振動を妨げないようにしたため、音質が向上する。
【００３７】
（第２支持部１５０）
第２支持部１５０は、打面部１２０の上端に設けられ、打面部１２０を上方から支持する部材である。第２支持部１５０は、厚みが１ｍｍ程度の板状の部材である。第２支持部１５０は、安全性を高めるために角を落としてあり、図１に示した一例では八角形状をしている。第２支持部１５０の構成は、第１支持部１４０の構成と同じであってもよく、異なっていてもよい。
【００３８】
第２支持部１５０と打面部１２０との連結について、図５を参照しながら説明する。図５は、第２支持部１５０と打面部１２０との間の連結を示す図である。第２支持部１５０と打面部１２０との連結については、図５に示したように、上述した第１支持部１４０と打面部１２０との連結のさせ方と実質的に同様である。すなわち、第２支持部１５０にはゴムシートＧが設けられている。すなわち、第２支持部１５０と打面部１２０−１〜１２０−４との間にゴムシートＧが介在する。打面部１２０−１〜１２０−４の上面は、このゴムシートＧを介して第２支持部１５０に連結される。かかる構成によれば、打面部１２０を第２支持部１５０によって固定する際、ゴムシートＧで打面部１２０と第２支持部１５０との接触を防ぐことで、打面部１２０の振動を妨げないようにしたため、音質が向上する。
【００３９】
以上の構成によれば、打面部１２０が第１支持部１４０及び第２支持部１５０によって固定される際、ゴムシートＧで打面部１２０と第１支持部１４０及び第２支持部１５０との接触を防ぐことで、打面部１２０の振動を妨げないようにしたため、音質が向上する。なお、ゴムシートＧ（衝撃吸収材）は、第１支持部１４０及び第２支持部１５０の両方に設けたほうが効果的であるが、いずれか一方に設けるようにしてもよい。
【００４０】
以上、本実施形態の打楽器１００について説明した。なお、以上説明した各部位は、２つ又はそれ以上の部位が一体的な１つの部位として構成されていてもよい。次に、打楽器１００の使い方について、図６〜図８を参照しながら説明する。従来の打楽器２００（図１１）と対比しながら説明する。
【００４１】
（１）動かし方（図６）
打楽器１００は上記構成からなることによって、図６（ａ）に示したように、Ｘ軸・Ｙ軸・Ｚ軸のあらゆる方向に動かして鳴らすことができる。これは、バチ部１３０が３６０度方向に揺動可能であり、各バチ部１３０−１〜１３０−４が２枚の打面部１２０に当たることに起因する。
【００４２】
一方、従来の打楽器２００は、図６（ｂ）に示したように、打面部に相当する部分が平板状であり、バチ部に相当する部分が一方向にのみ動く。このため、Ｘ軸方向に振らないと鳴らない。本実施形態の打楽器１００に比べて、出せる音や演奏の仕方にバリエーションが少ない。
【００４３】
（２）打楽器の握り方（図７）
本実施形態の打楽器１００を握るときには、図７（ａ）に示したように、打楽器１００の全体を包むように握ってもよい。これは、４枚の打面部１２０によって音響空間ＡＳ（図２）が形成されているからである。さらに、指で数本のバチ部１３０を押さえてしまっても、すべてのバチ部１３０を押さえることはできないので、他のバチ部１３０が揺動することによって音を発することができる。さらに、把持部１１０以外を持ち操作しても演奏できる。
【００４４】
一方、従来の打楽器２００は、図７（ｂ）に示したように、持ち手よりも上部をつかんでしまうと、バチ部に相当する部分を指で押さえてしまうため、まったく音を鳴らすことができなくなる。このように、従来の打楽器２００は、本実施形態の打楽器１００に比べて、持ち方、演奏の仕方にバリエーションが少ない。
【００４５】
（３）把持部の持ち方（図８）
本実施形態の打楽器１００においては、上述したように把持部１１０が回転対称形であり、方向性がない。このため、図８（ａ）に示したように、把持部１１０をどのように握っても打楽器１００を演奏することができる。
【００４６】
一方、従来の打楽器２００は、図８（ｂ）に示したように、把持部に対応する部分が薄板状であり、特定の方向に振ったときのみ打楽器２００を演奏することができる。このように、従来の打楽器２００は、本実施形態の打楽器１００に比べて、演奏の仕方にバリエーションが少ない。
【００４７】
（第１の実施形態の効果）
以上説明したように、本実施形態によれば、バチ部１３０が把持部１１０の軸方向から見て３６０度方向に揺動することで、振るだけで簡単に演奏ができ、また、手や体にぶつけるように操作しても演奏できる、また、４枚の打面部１２０が把持部１１０の軸方向から先端に向かって広がる方向に配置されたことで、２枚の打面部１２０の間に音響空間ＡＳができることから、打楽器１００の全体を手で握っても、音を発することができる。また、各バチ部１３０が２枚の打面部１２０に当たることで、独特の音が発せされる。さらに、把持部以外を持ち操作しても演奏できる。このようにして、より簡易に演奏することが可能である。また、鳴子は音楽療法で多数の利用実績があり、高齢の方にも親しみやすいデザインであるため、打楽器１００は、特に高齢の方の音楽療法での利用に最適である。
【００４８】
また、打面部１２０及びバチ部１３０が、第１支持部１４０を介して把持部１１０に支持されるようにしたため、把持部が上下全体にあり打面部が把持部に直接結合されている形態と比べて、軽量にすることができる。
【００４９】
さらに、打面部１２０を上方から支持する第２支持部１５０を備え、打面部１２０を第１支持部１４０と第２支持部１５０で上下方向から支持することで、丈夫な構成とすることができる。
【００５０】
さらにまた、打面部１２０と、第１支持部１４０及び第２支持部１５０との間に、ゴムシートＧを介在させたことで、打面部１２０を第１支持部１４０及び第２支持部１５０によって上下から挟み込んで固定する際、ゴムシートＧで打面部１２０と第１支持部１４０及び第２支持部１５０との接触を防ぐことで、打面部１２０の振動を妨げないようにしたため、音質が向上する。
【００５１】
また、把持部１１０を回転対称形とすることにより、持ち手の方向を意識することなく持つことができる。また、把持部１１０の先端を細い形状にすることで、手が十分に開けないような場合でも、手に差し込むようにして使用することができる。
【００５２】
以下では、上記第１の実施形態を応用した他の実施形態について説明する。以下の説明では、上記第１の実施形態と同様の点については、重複説明を省略する。
【００５３】
（第２の実施形態）
上記第１の実施形態では、バチ部１３０が３６０度方向に揺動可能に第１支持部１４０に支持される例について説明した。本実施形態では他の例について説明する。図９は、本実施形態の打楽器３００を示す図である。
【００５４】
本実施形態の打楽器３００において、バチ部３３０−１は、図９に示したように、円弧状にのみ搖動するように動きが規制されている。また、バチ部３３０−２は、直線方向にのみ搖動するように動きが規制されている。このようなバチ部３３０（３３０−１、３３０−２）の動きは、バチ部３３０を支持するねじ（図３（ｂ）のねじ１３２参照）の動きを規制することで実現することができる。本実施形態の構成によっても、バチ部３３０が隣り合う２枚の打面部３２０（３２０−１〜３２０−３）にそれぞれ当たって音を発することができる。
【００５５】
なお、本実施形態において説明しなかった点については、上記第１の実施形態の打楽器１００に準じて構成することができる。例えば、打面部３２０及びバチ部３３０の構成のうち本実施形態で説明しなかった点については、上記第１の実施形態の打面部１２０及びバチ部１３０に準じて構成することができる。
【００５６】
（第３の実施形態）
上記第１の実施形態では、バチ部１３０が第１支持部１４０に支持される例について説明した。本実施形態では他の例について説明する。図１０は、本実施形態の打楽器４００を示す図であり、図１０（ｂ）は図１０（ａ）のＸ−Ｘ断面図であり、図１０（ｃ）は図１０（ａ）のＹ−Ｙ断面図である。本実施形態の打楽器４００において、バチ部４３０は、図１０に示したように、第１支持部４４０及び第２支持部４５０に支持される。
【００５７】
バチ部４３０には、図１０（ａ）に示したように、頭部が大きく軸部が細く長い鋲状の揺動支持部４３２が上下に設けられている。また、第１支持部４４０には、揺動支持部４３２の頭部が通過できないサイズの穴部４４０ａが設けられており、第２支持部４５０にも、同様の穴部４５０ａが設けられている。このような構成によって、バチ部４３０は、第１支持部４４０及び第２支持部４５０から離脱することなく支持されている。
【００５８】
揺動支持部４３２の軸部は、図１０（ａ）に示したように、穴部４４０ａ、４５０ａに比べて細く長い。このため、バチ部４３０は、図１０（ｂ）のＸ−Ｘ断面図に示したように、第１支持部４４０及び第２支持部４５０から離脱しない範囲で、上下左右方向に移動（揺動）できる。そして、図１０（ｃ）のＹ−Ｙ断面図に示したように、バチ部４３０の径方向のサイズａを、第１支持部４４０の穴部４４０ａの縁から打面部４２０（４２０−１、４２０−２）までの距離ｂよりも大きくすることにより、バチ部４３０が打面部４２０に当たって音を発することができる。
【００５９】
なお、本実施形態において説明しなかった点については、上記第１の実施形態の打楽器１００に準じて構成することができる。例えば、打面部４２０、バチ部４３０、第１支持部４４０及び第２支持部４５０の構成のうち本実施形態で説明しなかった点については、上記第１の実施形態の打面部１２０、バチ部１３０、第１支持部１４０及び第２支持部１５０に準じて構成することができる。
【００６０】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６１】
例えば、上記第１〜第３の実施形態では、バチ部の支持の構成についていくつかの例を挙げて説明したが、本発明はこれに限定されない。２枚の打面部の間の空間に設けられたバチ部が、その２枚の打面部にそれぞれ当たって音を発することができる構成であれば、任意の構成を採用することができる。
【００６２】
また、上記第１の実施形態では、打面部１２０が４枚の場合について説明したが、本発明はこれに限定されない。打面部が３枚以上であれば本発明の効果が得られる。
【００６３】
また、上記第１の実施形態では、バチ部１３０が、打面部１２０の間の音響空間ＡＳのすべてに設けられる場合について説明したが、本発明はこれに限定されない。バチ部は任意の本数設けることができる。ただしバチ部が２本以下だと、打楽器のサイズによっては使用者が２本のバチ部を押さえてしまい演奏ができなくなることもあるので、３本以上が好ましい。また逆に、移動時にバチ部を押さえて音を出さないようにできることを意図して、バチ部を２本以下にしてもよい。
【００６４】
また、上記第１の実施形態では、第１支持部１４０を備えた構成について説明したが、本発明はこれに限定されない。第１支持部１４０を備えない構成とし、打面部及びバチ部を把持部に直接連結するようにしてもよい。例えば、上記第１の実施形態では、把持部１１０が第１支持部１４０の下方にのみ設けられている構成について説明したが、第１支持部１４０を備えない場合には、把持部を上下方向の全体に設けるなどすれば、容易に打面部及びバチ部を把持部に直接連結することができる。
【００６５】
また、上記第１の実施形態では、第２支持部１５０を備えた構成について説明したが、本発明はこれに限定されず、第２支持部１５０を備えない構成としてもよい。
【００６６】
また、上記第１の実施形態では、打面部１２０と、第１支持部１４０及び第２支持部１５０との間にゴムシートＧを介在させた構成について説明したが、本発明はこれに限定されない。ゴムシートは、打面部１２０と第１支持部１４０との間にだけ設けてもよく、打面部１２０と第２支持部１５０との間にだけ設けてもよい。また、ゴムシートと同様の機能を有するものであれば、材質はゴムでなくてもよい。
【００６７】
また、上記第１の実施形態では、把持部１１０の構成として、回転対称形である円筒状で先端が細い形状である例について説明したが、本発明はこれに限定されず、任意の形状とすることができる。例えば、回転対称形でなくてもよく、また、回転対称形であっても、先端が細い形状でなくてもよい。
【００６８】
上記実施形態、応用例、変形例は、任意に組み合わせて実施することができる。
【符号の説明】
【００６９】
１００  打楽器
１１０  把持部
１２０（１２０−１〜１２０−４）  打面部
１３０（１３０−１〜１３０−４）  バチ部
１３２  ねじ
１４０  第１支持部
１４０ａ  孔
１４０ｂ  凹部
１５０  第２支持部
ＡＳ  音響空間
Ｇ  ゴムシート
【図１】
2018205510.tif 000003
【図２】
2018205510.tif 000004
【図３】
2018205510.tif 000005
【図４】
2018205510.tif 000006
【図５】
2018205510.tif 000007
【図６】
2018205510.tif 000008
【図７】
2018205510.tif 000009
【図８】
2018205510.tif 000010
【図９】
2018205510.tif 000011
【図１０】
2018205510.tif 000012
【図１１】
2018205510.tif 000013